(57)【要約】【課題】  各色相の放電セル間で異なる蛍光体効率や放電特性の差を少なくして輝度バランスを均一化することにより，色純度及び放電効率を向上させる。【解決手段】  第１基板１０に一方向に延びて形成されたアドレス電極１２と，第２基板２０に一方向に延びて形成された表示電極２１，２３とが交差する領域に放電セル１８を形成するように，基板１０，２０をその間に空間を区画する隔壁１６を有して対向配置させ；放電セル１８内の隔壁１６を含む領域に蛍光体層が形成されてなる各々の副画素２８は，アドレス電極が延びる方向の両端部の幅が第１の幅ｗ１を有し；一方向に隣接配置されて色相可変画素を構成する赤緑青の副画素のうちの少なくとも一つの色相の副画素の中心部の幅が第１の幅よりも狭い第２の幅ｗ２を有し，他の一つの色相の副画素の中心部の幅が第１の幅よりも広い第３の幅ｗ３を有するように構成した。【選択図】    図１
2005347260.tif 000002
【特許請求の範囲】
【請求項１】
対向配置される第１基板及び第２基板と；
前記第１基板または前記第２基板の少なくともいずれかに一方向に延びて形成されるアドレス電極と；
前記第１基板または前記第２基板の少なくともいずれかに前記アドレス電極と交差する方向に延びて形成される表示電極と；
前記第１基板と前記第２基板との間の空間を区画する隔壁と；
前記第１基板，前記第２基板及び前記隔壁によって区画された空間に形成される少なくとも一つの放電セル内に各々形成される蛍光体層とを含み；
前記各放電セル内の前記隔壁を含む領域に蛍光体層が形成されてなる各々の副画素は，前記アドレス電極が延びる方向における端部において，前記アドレス電極と直交する方向の長さが第１の幅を有するように形成され，
一方向に隣接して配置されて色相可変画素を構成する赤色の副画素，緑色の副画素，及び青色の副画素のうちの少なくとも一つの色相の副画素は，その中心部において，前記アドレス電極と直交する方向の長さが，前記第１の幅よりも狭い第２の幅を有するように形成され，
一方向に隣接して配置されて色相可変画素を構成する赤色の副画素，緑色の副画素，及び青色の副画素のうちの少なくとも一つの色相の副画素は，その中心部において，前記アドレス電極と直交する方向の長さが，前記第１の幅よりも広い第３の幅を有するように形成されること，
を特徴とするプラズマディスプレイパネル。
【請求項２】
前記一方向に隣接して配置されて色相可変画素を構成する赤色の副画素，緑色の副画素，及び青色の副画素のうちの少なくとも一つの色相の副画素は，その中心部において，前記アドレス電極と直交する方向の長さが，前記第２の幅よりも広く，前記第３の幅よりも狭い第４の幅を有するように形成されることを特徴とする請求項１に記載のプラズマディスプレイパネル。
【請求項３】
前記第４の幅は，前記第１の幅と実質的に同一であることを特徴とする請求項２に記載のプラズマディスプレイパネル。
【請求項４】
前記副画素の中心部において前記第２の幅を有する副画素は，前記アドレス電極が延びる方向に相互に隣接した複数の放電セルのそれぞれの中心を連結する基準線に対して，線対称となる形状に形成されることを特徴とする請求項１に記載のプラズマディスプレイパネル。
【請求項５】
前記副画素の中心部において前記第３の幅を有する副画素は，前記アドレス電極が延びる方向に相互に隣接した複数の放電セルのそれぞれの中心を連結する基準線に対して，線対称となる形状に形成されることを特徴とする請求項１に記載のプラズマディスプレイパネル。
【請求項６】
前記副画素の中心部において前記第２の幅，前記第４の幅，及び前記第３の幅を有する副画素が，この順序に前記アドレス電極と交差する方向に隣接して色相可変画素を構成することを特徴とする請求項１に記載のプラズマディスプレイパネル。
【請求項７】
前記副画素の中心部において前記第２の幅，前記第４の幅，及び前記第３の幅を有する副画素が，それぞれ赤色，緑色，及び青色の蛍光体が塗布された副画素に対応することを特徴とする請求項６に記載のプラズマディスプレイパネル。
【請求項８】
前記副画素の中心部において前記第２の幅を有する副画素の前記アドレス電極と直交する方向の幅は，前記端部における前記第１の幅から前記中心部における前記第２の幅まで漸進的に狭くなることを特徴とする請求項１に記載のプラズマディスプレイパネル。
【請求項９】
前記副画素の中心部において前記第３の幅を有する副画素の前記アドレス電極と直交する方向の幅は，前記端部における前記第１の幅から前記中心部における前記第３の幅まで漸進的に広くなることを特徴とする請求項１に記載のプラズマディスプレイパネル。
【請求項１０】
前記副画素の中心部において前記第２の幅を有する副画素には，赤色の蛍光体が塗布されることを特徴とする請求項１に記載のプラズマディスプレイパネル。
【請求項１１】
前記副画素の中心部において前記第３の幅を有する副画素には，青色の蛍光体が塗布されることを特徴とする請求項１に記載のプラズマディスプレイパネル。
【請求項１２】
前記隔壁は，前記アドレス電極が延びる方向に繋がる第１隔壁部材と，前記アドレス電極と交差する方向に前記第１隔壁部材の間に形成される第２隔壁部材とを含むことを特徴とする請求項１に記載のプラズマディスプレイパネル。
【発明の詳細な説明】
【技術分野】
【０００１】
本発明は，プラズマディスプレイパネルにかかり，さらに詳しくは放電セルの構造に特徴のあるプラズマディスプレイパネルに関する。
【背景技術】
【０００２】
一般的に，プラズマディスプレイパネル（Ｐｌａｓｍａ  Ｄｉｓｐｌａｙ  Ｐａｎｅｌ：以下‘ＰＤＰ’とする）は，気体放電により得られたプラズマから放射される真空紫外線（ＶＵＶ：Ｖａｃｕｕｍ  Ｕｌｔｒａ  Ｖｉｏｌｅｔ）が蛍光体を励起させることによって発生する可視光を利用して映像を実現する表示装置である。このようなＰＤＰは，６０インチ以上の超大型画面を僅か１０ｃｍ以内の厚さで実現することができる。また，プラズマ表示素子は陰極線管（ＣＲＴ：Ｃａｔｈｏｄｅ  Ｒａｙ  Ｔｕｂｅ）のような自発光表示素子であるため，色再現力に優れ，視角によって歪曲現象が生じることがないといった特性を有する。更に，ＰＤＰは，液晶表示装置（ＬＣＤ：Ｌｉｑｕｉｄ  Ｃｒｙｓｔａｌ  Ｄｉｓｐｌａｙ）などに比べて製造工程が単純であり，生産性及び原価側面からも有利である。上記のような長所を有するＰＤＰは，例えば平面表示装置や家庭用テレビとして実用化されており，次世代産業の候補として脚光を浴びている。
【０００３】
ＰＤＰの構造は，１９７０年代から長期間かけて発展してきたが，現在，一般的に知られている構造は３電極面放電型構造である。３電極面放電型構造は，同一面上に平行配置された発光電極線群を含む第２基板と，発光電極線と直交するアドレス電極線群が配置されて，上記第２基板と所定の距離だけ離隔されて対向配置された第１基板とからなり，両基板間に放電ガスが封入された構造を有する。上記第２基板の発光電極線群は，一般的には維持電極群と走査電極群の２つの電極群から成る。そして，放電の有無は，一般に，各電極線に連結されて独立的に制御される走査電極と対向するアドレス電極の放電によって決定される。そして，表示輝度を決定する維持放電は，上記維持電極群と走査電極群によって行われる。
【０００４】
なお，上記の用語“電極線”は，同一行（または列）に含まれる複数セルの同種電極を連結した電極群を意味する。
【０００５】
図５は，従来の３電極面放電型構造を有する交流型ＰＤＰの構造を示す部分分解斜視図である。背面基板１１２上には，一方向に延びるアドレス電極１１５が形成され，このアドレス電極１１５を覆いながら背面基板１１２の全面に誘電層１２０が形成される。誘電層１２０上には隔壁１１７が形成されて，対向配置される前面基板１１１と背面基板１１２との間の放電空間を放電セル１１９に区画する。
【０００６】
上記隔壁の構造には，例えば，ストライプ型隔壁構造やマトリックス型隔壁構造などがある。ストライプ型隔壁構造は，縦隔壁だけ形成される隔壁構造であり，製造工程が単純であり，放電空間に放電ガスを封入する前の排気工程が容易であるといった特徴を有する。一方，マトリックス型隔壁構造は，縦隔壁及び横隔壁が格子形に形成される隔壁構造であり，放電効率及び輝度などを向上させることができるといった特徴を有する。ストライプ型隔壁構造を用いても，印加する放電電圧を適切に設定して制御すれば，各放電領域を小さくすることができるので，マトリックス型隔壁構造と同様に動作させることが可能である。
【０００７】
上記のような構造を有する隔壁１１７によって形成される放電セル１１９内には，各々赤色（Ｒ），緑色（Ｇ），青色（Ｂ）の蛍光体層１１８が形成される。ここで，ＲＧＢ各色の発光単位となる領域を副画素と呼び，この３色の副画素が近接配置された大きい領域を色相可変画素と呼ぶことにする。
【０００８】
背面基板１１２に対向する前面基板１１１の一面には，アドレス電極１１５と交差あるいは直交する方向に延びる一対の透明電極１１３ａ，１１４ａとバス電極１１３ｂ，１１４ｂとが形成される。かかる透明電極１１３ａとバス電極１１３ｂは維持電極（放電維持電極）１１３を構成し，透明電極１１４ａとバス電極１１４ｂは走査電極１１４を構成する。
【０００９】
そして，前面基板１１に形成された維持電極１１３及び走査電極１１４を覆うように（図５では維持電極１１３及び走査電極１１４の下側に）誘電層１２１とＭｇＯ保護膜１２３が順に形成される。
【００１０】
このとき，背面基板１１２上のアドレス電極１１５と，前面基板１１１上の一対の維持電極１１３及び走査電極１１４とが交差する放電空間内の領域が，放電セル１１９に相当する。
【発明の開示】
【発明が解決しようとする課題】
【００１１】
上記のようなＰＤＰの蛍光体層に用いられる蛍光体は，陰極線管に用いられる蛍光体と比較すると，より低いエネルギーで励起されなければならないため，その選択の幅が制限的である。そして，かかる蛍光体は一般的には，赤色，緑色，青色の色相ごとに発光効率が異なり，その結果，色相間で激しい輝度差が生じるといった短所がある。このような蛍光体の色相間の輝度差によって，各色相の放電セルの蛍光体効率や放電特性などにも差が生じ，その結果，ホワイトバランスと色温度，色純度などの調整が難しくなるという問題があった。
【００１２】
そこで，本発明は，このような問題に鑑みてなされたもので，その目的とするところは，各色相の放電セル間で異なる蛍光体効率や放電特性の差を少なくして輝度バランスを均一化することにより，色純度及び放電効率を向上させることができるプラズマディスプレイパネルを提供することにある。
【課題を解決するための手段】
【００１３】
上記課題を解決するために，本発明のある観点によれば，対向配置される第１基板及び第２基板と；上記第１基板または上記第２基板の少なくともいずれかに一方向に延びて形成されるアドレス電極と；上記第１基板または上記第２基板の少なくともいずれかに上記アドレス電極と交差する方向に延びて形成される表示電極と；上記第１基板と上記第２基板との間の空間を区画する隔壁と；上記第１基板，上記第２基板及び上記隔壁によって区画された空間に形成される少なくとも一つの放電セル内に各々形成される蛍光体層とを含み；上記各放電セル内の上記隔壁を含む領域に蛍光体層が形成されてなる各々の副画素は，上記アドレス電極が延びる方向における端部において，上記アドレス電極と直交する方向の長さが第１の幅を有するように形成され；一方向に隣接して配置されて色相可変画素を構成する赤色（Ｒ）の副画素，緑色（Ｇ）の副画素，及び青色（Ｂ）の副画素のうちの少なくとも一つの色相の副画素は，その中心部において，上記アドレス電極と直交する方向の長さが，上記第１の幅よりも狭い第２の幅を有するように形成され；一方向に隣接して配置されて色相可変画素を構成する赤色の副画素，緑色の副画素，及び青色の副画素のうちの少なくとも一つの色相の副画素は，その中心部において，上記アドレス電極と直交する方向の長さが，上記第１の幅よりも広い第３の幅を有するように形成されること；を特徴とするプラズマディスプレイパネルが提供される。ここで，上記各々の放電セルは，上記放電セルを区画する第１基板または第２基板のいずれかにアドレス電極が設けられた領域を含み，第１基板または第２基板のいずれかに表示電極が設けられた領域を含むことができる。
【００１４】
このような本発明にかかるプラズマディスプレイパネルによれば，アドレス電極と同一方向に延びる隔壁を，放電セル（副画素）の面積が赤緑青（ＲＧＢ）の色相に応じて異なるように形成することによって，プラズマディスプレイパネルの色純度及び放電効率を向上させることができる。すなわち，各色相の放電セル（副画素）ごとに，蛍光体が塗布される面積を異ならせれば，各色相間の蛍光体特性の差による輝度，蛍光体効率，または放電特性などの偏差を最小化することができるので，プラズマディスプレイパネルの色純度を向上させることができる。このとき，上記第１基板のアドレス電極が設けられた部分と，上記第２基板の表示電極が設けられた部分と，上記隔壁とによって囲まれた空間が放電セルとなる。そして，上記放電セル内の隔壁を含む領域に蛍光体層が形成されて副画素が形成される。例えば，上記放電セル内の隔壁と底面（表示電極が設けられた第２基板）に赤，青，または緑の蛍光体層が塗布されることにより，赤，青，または緑の色相の副画素がそれぞれ形成される。
【００１５】
例えば，赤緑青（ＲＧＢ）の色相の蛍光体層のうち，色純度や発光効率などの蛍光体特性が劣る色相の蛍光体層が形成される放電セルの面積を，他の色相の放電セルの面積よりも大きくすることにより，当該色相の放電セルの蛍光体特性を改善することができる。このとき，当該色相の各放電セルにおいて，アドレス電極と同一方向に延びる両側部の隔壁間の幅が，放電セルの両端部における第１の幅（ｗ１）よりも中央部における第３の幅（ｗ３）の方が広くなるように隔壁を形成することによって，当該色相の放電セルの面積を広く形成するのがよい。このような隔壁構造とすることにより，各放電セル（副画素）の内部で少なくとも１回以上屈曲された隔壁面が形成されるので，放電セル内での蛍光体塗布面積を広くすることができ，プラズマディスプレイパネルの発光効率をさらに向上させることができる。
【００１６】
一方，例えば，赤緑青（ＲＧＢ）の色相の蛍光体層のうち，特性が優れる蛍光体層を有する放電セルの面積を，他の色相の放電セルの面積よりも小さくすることによっても，各色相間の蛍光体特性の差による輝度，蛍光体効率，または放電特性などの偏差を最小化することができる。このとき，特性が劣る色相の各放電セルにおいて，アドレス電極と同一方向に延びる両側部の隔壁間の幅が，放電セルの両端部における第１の幅（ｗ１）よりも中央部における第２の幅（ｗ２）の方が狭くなるように隔壁を形成することによって，当該色相の放電セルの面積を狭く形成するのがよい。
【００１７】
このとき，上記一方向に隣接して配置されて色相可変画素を構成する赤色の副画素，緑色の副画素，及び青色の副画素のうちの少なくとも一つの色相の副画素は，その中心部において，上記アドレス電極と直交する方向の長さが，上記第２の幅よりも広く，上記第３の幅よりも狭い第４の幅を有するように形成されるのがよい。例えば，赤緑青（ＲＧＢ）の色相の蛍光体層の中央部における幅が，一色は最も大きい第３の幅，他の一色は第３の幅よりも小さい第４の幅，更に他の一色は第４の幅よりも小さい第２の幅を有するようにして，色相ごとの放電セルの面積を異ならせるようにすることができる。またこのとき，上記第４の幅は，放電セルの両端部の幅である第１の幅と実質的に同一となるように形成されるのがよい。ここで，色相可変画素とは，上記赤色（Ｒ）の副画素，緑色（Ｇ）の副画素，青色（Ｂ）の副画素の３色の副画素が近接配置された大きい領域を指す。
【００１８】
また，上記副画素の中心部において上記第２の幅を有する副画素は，上記アドレス電極が延びる方向に相互に隣接した複数の放電セルのそれぞれの中心を連結する基準線に対して，線対称となる形状に形成されるのがよい。すなわち，面積が最も広く形成される色相の放電セルの形状は，アドレス電極方向に延びる線に対して線対称となるように形成されるのがよい。
【００１９】
また，上記副画素の中心部において上記第３の幅を有する副画素は，上記アドレス電極が延びる方向に相互に隣接した複数の放電セルのそれぞれの中心を連結する基準線に対して，線対称となる形状に形成されるのがよい。すなわち，面積が最も狭く形成される色相の放電セルの形状は，アドレス電極方向に延びる線に対して線対称となるように形成されるのがよい。
【００２０】
ここで，上記副画素の中心部において上記第２の幅，上記第４の幅，及び上記第３の幅を有する副画素が，この順序に上記アドレス電極と交差する方向に隣接して配置されて色相可変画素を構成するのがよい。また，上記副画素の中心部において上記第２の幅，上記第４の幅，及び上記第３の幅を有する副画素が，それぞれ赤色，緑色，及び青色の蛍光体が塗布された副画素に対応するように構成するのがよい。
【００２１】
また，上記副画素の中心部において上記第２の幅を有する副画素の上記アドレス電極と直交する方向の幅は，上記端部における上記第１の幅から上記中心部における上記第２の幅まで漸進的に狭くなるように構成されるのがよい。すなわち，上記アドレス電極が延びる方向に形成される隔壁はジグザグの形状に形成されることができ，最も狭い面積を有する色相の放電セルの形状は，その中央部において上記隔壁が中心方向に向かってくびれた形状を有することができる。
【００２２】
一方，上記副画素の中心部において上記第３の幅を有する副画素の上記アドレス電極と直交する方向の幅は，上記端部における上記第１の幅から上記中心部における上記第３の幅まで漸進的に広くなるように構成されるのがよい。すなわち，上記アドレス電極が延びる方向に形成される隔壁はジグザグの形状に形成されることができ，最も広い面積を有する色相の放電セルの形状は，その中央部において上記隔壁が外側に向かって突出された形状を有することができる。
【００２３】
このとき，上記副画素の中心部において上記第２の幅を有する副画素，すなわち最も狭い面積を有する放電セルには，赤色の蛍光体が塗布されるのがよい。一方，上記副画素の中心部において上記第３の幅を有する副画素，すなわち最も広い面積を有する放電セルには，青色の蛍光体が塗布されるのがよい。
【００２４】
また，上記隔壁は，上記アドレス電極が延びる方向に繋がる第１隔壁部材と，上記アドレス電極と交差する方向に上記第１隔壁部材の間に形成される第２隔壁部材とを含むマトリックス構造の隔壁であることができる。
【発明の効果】
【００２５】
本発明によれば，各色相の蛍光体が有する蛍光体特性に応じて，放電セルを区画する隔壁の構造を最適化することによって，色純度及び放電効率が向上されたプラズマディスプレイパネルを提供できるものである。すなわち，赤色（Ｒ），緑色（Ｇ），青色（Ｂ）の各色相の副画素（放電セル）別に蛍光体が塗布される面積を相互に異ならせることにより，各色相間の蛍光体特性の差による輝度，蛍光体効率，または放電特性などの偏差を最小化することができるので，プラズマディスプレイパネルの色純度を向上させることができる。また，上記各副画素（放電セル）の内部で少なくとも１回以上屈曲された隔壁面を形成することにより，放電セル内での蛍光体塗布面積を広くすることができるので，プラズマディスプレイパネルの発光効率をさらに向上させることができる。
【００２６】
上記のようにして，例えば色純度や発光効率が劣る色相の放電セルの特性が向上されるように，蛍光体塗布面積や放電セルの形状を最適化させて隔壁を形成すれば，プラズマディスプレイパネルの性能を向上させることができる。例えば，蛍光体塗布面積や放電セルの形状を最適化して色純度を向上させることができれば，色再現範囲を大きくすることができる。また，発光効率を向上させることができれば，消費電力を低減させることができる。更に，色純度及び発光効率の両方が向上されると，例えば色温度や色純度ごとのホワイトバランスの調整も容易になり，白色表示を良好にすることができる。
【発明を実施するための最良の形態】
【００２７】
以下に添付図面を参照しながら，本発明の好適な実施の形態について本発明の属する技術分野における通常の知識を有する者が容易に実施できるように詳細に説明する。なお，本明細書及び図面において，実質的に同一の機能構成を有する構成要素については，同一の符号を付することにより重複説明を省略する。また，本発明を明確に説明するために，図面において明細書の説明と関係ない部分は省略する。また，本発明は多様な異なる形態に実現可能であり，以下に説明する実施例に限定されるものではない。
【００２８】
先ず，本発明の実施の形態にかかるプラズマディスプレイパネル（ＰＤＰ：Ｐｌａｓｍａ  Ｄｉｓｐｌａｙ  Ｐａｎｅｌ）の全体的な構造について説明する。図１は，本実施形態にかかるＰＤＰの内部構造を示す部分分解斜視図である。図２は，本実施形態にかかるＰＤＰの電極配列と放電セルの構造を概略的に示す部分平面図である。
【００２９】
図１を参照すると，本実施形態にかかるＰＤＰの基本的な構造としては，相互に所定の距離だけ離隔されて対向配置された第１基板１０と第２基板２０との間の空間に，隔壁１６によって区画された複数の放電セル１８が形成された構造を有する。そして，第１基板１０と第２基板２０との間の空間には，複数の放電セル１８がプラズマ放電を起こすことができるように，例えば，Ｘｅ，Ｎｅまたはこれらを含む混合ガスなどの放電ガスが満たされる。以下では，第２基板２０をプラズマディスプレイパネルの表示面側となる‘前面基板’とし，第１基板１０を背面側となる‘背面基板’とする。
【００３０】
背面基板１０の前面基板２０と対向する側の面上には，背面基板１０の一方向に（図面のｙ軸方向）に延びる複数のアドレス電極１２が形成される。そして更に，アドレス電極１２を覆うように背面基板１０の全面に誘電層１４が形成される。
【００３１】
前面基板２０の背面基板１０と対向する側の面上には，アドレス電極１２と交差する方向に延びる複数の表示電極が形成される。表示電極は，アドレス電極１２との相互作用によって発光させる放電セル１８を選択し，選択された放電セル１８が発光するように維持放電を起こす役割を果たす。そして，前面基板２０に形成された表示電極を覆うように前面基板２０の全面に誘電層２８とＭｇＯ保護膜２９が順に形成される。
【００３２】
図２に示すのは，表示電極の構成の一例であり，表示電極は，各放電セル１８に対して対を成して形成される走査電極２１と維持電極２３とから成る。走査電極２１及び維持電極２３の各々は，アドレス電極１２と交差する方向に延びて形成されるバス電極２１ｂ，２３ｂと，透明電極２１ａ，２３ａとを含むことができる。すなわち，透明電極２１ａとバス電極２１ｂとで走査電極２１を構成し，透明電極２３ａとバス電極２３ｂとで維持電極２３を構成することができる。このとき，図２に示すように，透明電極２１ａ，２３ａの方がバス電極２１ｂ，２３ｂよりも放電セル１８の中心に向かって広い幅を有するように形成することができる。また，透明電極２１ａ，２３ａは放電セル１８の開口率を確保するために，ＩＴＯ（インジウム錫酸化物）などの透明電極材料からなるようにすることができる。一方，バス電極２１ｂ，２３ｂは，透明電極２１ａ，２３ａの高い抵抗を補償して通電性を確保するために，金属電極からなるようにするのがよい。しかし，本発明は上記表示電極の構成に限定されるものではなく，例えば，透明電極を使用せずに金属電極のみを用いて表示電極を形成することもできる。
【００３３】
本実施形態においては，隔壁１６は，図１及び図２に示すように，アドレス電極１２が延長される方向（図面のｙ軸方向）に連続して（繋がって）形成される。隔壁１６の詳細な構造については後に詳述することとする。
【００３４】
そして，アドレス電極１２と一対の走査電極２１及び維持電極２３とが交差する領域が単一放電セル１８に相当する。このとき，放電セル１８の幅方向（図面のｘ軸方向）に隣接して配列された複数の単一放電セル１８を‘放電セル１８の行’と称することにする。そして，かかる放電セル１８の行が，長さ方向（図面のｙ軸方向）に複数行配列されることにより，平面状の表示画面が構成される。
【００３５】
上記のような単一放電セル１８内には，赤色（Ｒ），緑色（Ｇ），または青色（Ｂ）のいずれかの蛍光体層１９が形成される。ここで，ＲＧＢ各色の発光単位となる領域を副画素と称することにすると，上記のような単一放電セル１８がそれぞれ副画素２８に相当することになる。
【００３６】
そして，上記赤色（Ｒ），緑色（Ｇ），青色（Ｂ）の３色の副画素２８が近接配置された大きい領域を，色相可変画素と称することにする。このような色相可変画素は，本実施形態においては，上記放電セル１８の行において，放電セル１８の幅方向（図面のｘ軸方向）に隣接して配列された赤色（Ｒ），緑色（Ｇ），青色（Ｂ）の３色の副画素２８によって構成される。
【００３７】
次に，本発明の実施の形態の変更例によるプラズマディスプレイパネルについて説明する。図３は，本実施形態の変更例によるＰＤＰの電極配列と放電セルの構造を概略的に示す部分平面図である。
【００３８】
本発明の実施の形態の変更例によるＰＤＰは，上に述べた本発明の実施の形態によるＰＤＰに対して隔壁の構造が異なる。かかる本実施形態の変更例によるＰＤＰの隔壁１７は，図３に示すように，アドレス電極１２が延長される方向（図面のｙ軸方向）に連続して形成される（繋がる）第１隔壁部材１７ａと，アドレス電極１２と交差する方向（図面のｘ軸方向）に第１隔壁部材１７ａ間に形成される第２隔壁部材１７ｂとを含む。したがって，放電セル１８は各々が互いに独立的に形成される閉鎖型構造（マトリクス型ともいう）を有する。
【００３９】
次に，本発明の実施の形態及びその変更例によるプラズマディスプレイパネルの隔壁の構成についてより詳細に説明する。図４は，本実施形態及びその変更例によるＰＤＰの隔壁構造を概略的に示す模式図である。
【００４０】
図４を参照すると，本発明の実施の形態及びその変更例によるプラズマディスプレイパネルの副画素２８は，アドレス電極１２が延びる方向における端部において，アドレス電極１２と直交する方向の長さが第１の幅（ｗ１）を有するように形成される。すなわち，副画素２８は，縦基準線（Ｖ）と平行なアドレス電極１２の長さ方向（図面のｙ軸方向）に位置する端部（図の下端参照）において，アドレス電極１２と直交する方向（図面のｘ軸方向）の長さが第１の幅（ｗ１）を有するように形成される。したがって，各副画素２８は，アドレス電極１２が延びる方向に位置する両端部において，アドレス電極１２と直交する方向の長さがそれぞれ第１の幅（ｗ１）を有する。つまり，アドレス電極１２または副画素２８のｘ軸方向の配列中心間隔（配列間隔）が（ｗ１）となる。よって，アドレス電極１２と同一方向に延びて形成される隔壁１６または第１隔壁部材１７ａの相互の間隔（幅）は，各副画素の端部においては全て等しい幅（ｗ１）に形成される。
【００４１】
そして，互いに隣接して色相可変画素を構成する赤色（Ｒ），緑色（Ｇ），青色（Ｂ）の各副画素２８のうち，赤色の副画素２８は，その中心部において，アドレス電極１２と直交する方向の長さが第２の幅（ｗ２）を有するように形成される。このとき，上記第２の幅（ｗ２）は，上記副画素２８の両端部の幅である上記第１の幅（ｗ１）よりも狭く形成される。
【００４２】
そして，青色の副画素２８は，その中心部において，アドレス電極１２と直交する方向の長さが第３の幅（ｗ３）を有するように形成される。このとき，上記第３の幅（ｗ３）は，上記副画素２８の両端部の幅である上記第１の幅（ｗ１）よりも広く形成される。
【００４３】
また，赤色の副画素２８及び青色の副画素２８の各々は，その形状が，アドレス電極の長さ方向（図面のｙ軸方向）に隣接した副画素２８の列中心を通過する基準線（Ｖ）に対して線対称となるように形成される。すなわち，赤色の副画素２８及び青色の副画素２８は，それぞれ，アドレス電極１２が延びる方向に相互に隣接した副画素２８の各中心部を連結する基準線（Ｖ）に対して，線対称となる形状に形成される。
【００４４】
更に，赤色の副画素２８及び青色の副画素２８の各々は，その形状が，アドレス電極と直交する方向（図面のｘ軸方向）に隣接した副画素２８の中心を通過する横基準線（Ｈ）に対しても線対称となるように形成されることができる。すなわち，赤色の副画素２８及び青色の副画素２８は，それぞれ，アドレス電極１２が延びる方向と直交する方向に相互に隣接した副画素２８の各中心部を連結する横基準線（Ｈ）に対しても線対称となる形状に形成されることができる。つまり，赤色及び青色の副画素２８は，副画素の中心に対して上下左右に線対称となるように形成されることができる。
【００４５】
さらに，中心部で第２の幅（ｗ２）を有する赤色の副画素２８のアドレス電極１２と直交する方向の幅は，端部における第１の幅（ｗ１）から中心部における第２の幅（ｗ２）まで漸進的に狭くなるように形成されることができる。また，中心部で第３の幅（ｗ３）を有する青色の副画素２８のアドレス電極１２と直交する方向の幅は，端部における第１の幅（ｗ１）から中心部における第３の幅（ｗ３）まで漸進的に広くなるように形成されることができる。
【００４６】
一方，緑色の副画素２８は，その中心部において，アドレス電極１２と直交する方向の長さが第４の幅（ｗ４）を有するように形成される。このとき，上記第４の幅（ｗ４）は，上記赤色の副画素２８の中心部の幅である第２の幅（ｗ２）よりも広く，上記青色の副画素２８の中心部の幅である第３の幅（ｗ３）よりも狭く形成される。特に，この第４の幅（ｗ４）は，各副画素２８の両端部における第１の幅（ｗ１）と実質的に同一に形成することもできる。
【００４７】
このような緑色の副画素２８は，赤色と青色の両副画素２８の間に配置されるので，その形状は，縦基準線（Ｖ）に対しては線対称にはならない。一方，横基準線（Ｈ）に対しては線対称となるように形成されることができる。
【００４８】
以上のように各副画素２８を構成すれば，赤色（Ｒ），緑色（Ｇ），青色（Ｂ）の蛍光体層１９が塗布される面積を色別に相互に異ならせることができる。したがって，各色相別の蛍光体特性の差異を補正することができ，色純度を改善することもできる。また，各副画素２８の内部で少なくとも１回以上折れ曲がる隔壁面が形成されることによって，放電セル１８内の蛍光体塗布面積を広げることができ，その結果，発光効率をさらに向上させることができる。
【００４９】
一方，放電セル１８の大きさを赤色，緑色，青色の各副画素別に相互に異ならせたことによって，各色相の放電セル１８間で放電開始電圧または維持電圧特性などに相違が生じるようになった場合は，表示電極の面積または形状などを異ならせることにより調整することができる。
【００５０】
上記本発明の実施の形態及びその変更例においては，中心部で第２の幅（ｗ２）を有する副画素に赤色の副画素を，中心部で第３の幅（ｗ３）を有する副画素に青色の副画素を適用し，中心部で第４の幅（ｗ４）を有する副画素に緑色の副画素を適用して説明を行った。しかし，このような蛍光体層１９の色相による配置は，蛍光体層１９に用いられる蛍光体の特性に応じて上に述べた例とは異なる配列で構成することも可能である。一般的には，相対的に大きい面積による発光が必要な色相の副画素が，中心部で第３の幅（ｗ３）を有するように形成されることができる。そして，相対的に小さい面積による発光が必要な色相の副画素が，中心部で第２の幅（ｗ２）を有するように形成されることができる。
【００５１】
また，上記本発明の実施の形態及びその変更例においては，副画素の両端部における幅である第１の幅（ｗ１）が各色相間で同一となるように構成されたが，各色相の副画素ごとに両端部における幅が互いに異なるように形成することも可能である。
【００５２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５３】
本発明は，プラズマディスプレイパネルに適用可能であり，特に平面表示装置や家庭用テレビなどに備えられるプラズマディスプレイパネルに適用可能である。
【図面の簡単な説明】
【００５４】
【図１】本発明の実施の形態にかかるプラズマディスプレイパネルの内部構造を示す部分分解斜視図である。
【図２】本実施形態によるＰＤＰの電極配列と放電セルの構造を示す部分平面図である。
【図３】本実施形態の変更例によるＰＤＰの電極配列と放電セルの構造を示す部分平面図である。
【図４】本実施形態及びその変更例によるＰＤＰの隔壁構造を概略的に示す模式図である。
【図５】従来のプラズマディスプレイパネルの構造を示す部分分解斜視図である。
【符号の説明】
【００５５】
２０    前面基板
２１    走査電極
２３    維持電極
２１ａ，２３ａ  透明電極
２１ｂ，２３ｂ  バス電極
１０    背面基板
１２    アドレス電極
１６，１７  隔壁
１７ａ  第１隔壁部材
１７ｂ  第２隔壁部材
１８    放電セル
１９    蛍光体層
２８    副画素
１４，２７  誘電層
２９  ＭｇＯ保護膜
１１１  前面基板
１１３  維持電極
１１４  走査電極
１１３ａ，１１４ａ  透明電極
１１３ｂ，１１４ｂ  バス電極
１１２  背面基板
１１５  アドレス電極
１１７  隔壁
１１８  蛍光体層
１１９  放電セル
１２０，１２１  誘電層
１２３  ＭｇＯ保護膜
【図１】
2005347260.tif 000003
【図２】
2005347260.tif 000004
【図３】
2005347260.tif 000005
【図４】
2005347260.tif 000006
【図５】
2005347260.tif 000007